(57)【要約】【課題】  その状況に応じた操作を受け付けることを容易にすることができる通信端末およびアイコン表示方法を提供することを目的とする。【解決手段】  通信端末１０に内蔵されている非接触ＩＣ部２０が、非接触ＩＣ用ＲＷ３０から特定行為を示す情報と入場または退場の情報を受信する。入場の情報を受信した場合は、表示部１４はアイコンをエリアに対応したアイコンへと変更して表示する。退場の情報を受信した場合には、表示部１４はそのアイコンを初期状態へ変更して表示する。【選択図】  図１
2008199211.tif 000002
【特許請求の範囲】
【請求項１】
操作受付のためのアイコンを表示する表示手段と、
予め定められた処理を行ったことを示す処理信号を受信する処理信号受信手段と、
前記処理信号受信手段により処理信号が受信されると、前記表示手段に表示されたアイコンを処理信号に応じて変更する変更手段と、
を備える通信端末。
【請求項２】
前記処理信号は、予め定められたエリアに入場したことを示す入場信号であることを特徴とする請求項１に記載の通信端末。
【請求項３】
前記エリアから退場したことを示す退場信号を受信する退場信号受信手段とを、さらに備え、
前記退場信号受信手段により退場信号が受信されると、前記変更手段は、前記表示手段に表示されたアイコンを初期状態に戻すことを特徴とする請求項２に記載の通信端末。
【請求項４】
前記処理信号受信手段は、複数あるエリアの内どのエリアに入ったかを示す情報を含んだ入場信号を受信し、
前記変更手段は、アイコンを入場したエリアの種別に応じたアイコンに変更することを特徴とする請求項２又は３に記載の通信端末。
【請求項５】
前記処理信号は、予め定められた購入処理をしたことを示す購入信号であることを特徴とする請求項１に記載の通信端末。
【請求項６】
前記変更手段は、アイコンの変更の後、所定時間経過後に、初期状態に戻すことを特徴とする請求項５に記載の通信端末。
【請求項７】
操作受付のためアイコンを表示する表示ステップと、
予め定められた処理を行ったことを示す処理信号を受信する処理信号受信ステップと、
前記処理信号受信ステップにより処理信号が受信されると、表示ステップで表示されているアイコンを処理信号に応じたアイコンに変更する変更ステップと、
を備えたアイコン表示方法。
【発明の詳細な説明】
【技術分野】
【０００１】
本発明は、操作を受け付けるアイコンを表示する通信端末及びアイコン表示方法に関する。
【背景技術】
【０００２】
従来、電子機器では、一般に表示画面に複数のアイコンが表示されており、そのアイコンが選択されることで所望の機能が起動されるように構成されている。このような電子機器において、複数のアイコンの表示順序は初期設定のままとなっており、各個人のメニューアイコンの使用頻度などに応じた使い易い配列になっていない。
【０００３】
一方、アイコンの配列を各個人の利用実態に合うように、自動的に並べ替えを行う方法として、時間情報、場所情報、電子機器の動作履歴情報、アイコン選択動作履歴情報に基づいてアイコンの順序を並べ替えることが特許文献１に開示されている。
【特許文献１】特開２００５−３０１５３８号公報
【発明の開示】
【発明が解決しようとする課題】
【０００４】
上述した特許文献１に記載の電子機器は、時間情報、場所情報、電子機器の動作履歴情報、アイコン選択動作履歴情報に基づいてアイコンの並べ替えを自動的に行うが、利用者の状況に対応したアイコンの並べ替えを行うことができていなかった。例えば、場所情報に基づいてメニューを変更する場合、場所情報を常に取得する必要があることから、装置構成が複雑になるという問題がある。特にＧＰＳを用いて位置測定を行う場合には、その測定に時間および電力を要するものであり、実現性という面で問題がある。また、ＧＰＳを使用することができない場所、例えば屋内にいる場合には、場所情報を取得することができない。さらに、場所情報のみならず、ユーザの何らかのアクションに応じて、そのアクション後のユーザの行動に変化が生じる場合があるが、特許文献１の技術において、そのような行動変化に対応することができない。
【０００５】
そこで本発明においては、ユーザの何らかのアクションに応じてユーザの行動に変化が生じる可能性がある場合に、その状況に応じた操作を受け付けることを容易にすることができる通信端末およびアイコン表示方法を提供することを目的とする。
【課題を解決するための手段】
【０００６】
上記目的を達成するため、本発明に係る通信端末は、操作受付のためのアイコンを表示する表示手段と、予め定められた処理を行ったことを示す処理信号を受信する処理信号受信手段と、前記処理信号受信手段により処理信号が受信されると、前記表示手段に表示されたアイコンを処理信号に応じて変更する変更手段と、を備えている。
【０００７】
また、本発明のアイコン表示方法は、操作受付のためアイコンを表示する表示ステップと、予め定められた処理を行ったことを示す処理信号を受信する処理信号受信ステップと、前記処理信号受信ステップにより処理信号が受信されると、表示ステップで表示されているアイコンを処理信号に応じたアイコンに変更する変更ステップと、を備えている。
【０００８】
この発明によれば、予め定められた処理を行ったことを示す処理信号を受信すると、アイコンを処理信号に応じて変更して表示させることができる。これにより、ユーザの行動に伴って操作される可能性の高いアイコンを表示させることができ、通信端末の操作性を向上させることができる。
【０００９】
また、本発明の通信端末における前記処理信号は、予め定められたエリアに入場したことを示す入場信号であることが好ましい。
【００１０】
この発明によれば、処理信号を、予め定められたエリアに入場したことを示す入場信号とすることで、駅の改札、高速道路のゲート、会社のセキュリティゲートなどを通過した場合に、それぞれのユーザの行動、すなわち特定のエリアに入ったという行動に応じて、そのエリアに応じたアイコンを表示することができ、通信端末の操作性を向上させることができる。
【００１１】
また、本発明の通信端末は、前記エリアから退場したことを示す退場信号を受信する退場信号受信手段をさらに備え、前記退場信号受信手段により退場信号が受信されると、前記変更手段は、前記表示手段に表示されたアイコンを初期状態に戻すことが好ましい。
【００１２】
この発明によれば、エリアから退場したことを示す退場信号を受信すると、表示されたアイコンを初期状態に戻すことができる。よって、ユーザの行動に応じたアイコンを表示させることができ、アイコンが変更されたままとなることがなく、通信端末の操作性を向上させることができる。
【００１３】
また、本発明の通信端末における前記処理信号受信手段は、複数あるエリアの内どのエリアに入ったかを示すゲート情報を含んだ入場信号を受信し、前記変更手段は、ゲート情報に応じたアイコンに変更することが好ましい。
【００１４】
この発明によれば、複数あるエリアの内どのエリアに入ったかを示すゲート情報を含んだ入場信号を受信し、ゲート情報に応じたアイコンに変更することができる。よって、ユーザが存在するエリアに応じたアイコンを表示させることができ、通信端末の操作性を向上させることができる。
【００１５】
また、本発明の通信端末における前記処理信号は、予め定められた購入処理をしたことを示す購入信号であることが好ましい。
【００１６】
この発明によれば、処理信号を、予め定められた購入処理をしたことを示す購入信号とすることで、商品購入等の処理に対してその後に使用する可能性の高いアイコンを表示させることができ、通信端末の操作性を向上させることができる。
【００１７】
また、本発明の通信端末における前記変更手段は、アイコンの変更の後、所定時間経過後に、初期状態に戻すことが好ましい。
【００１８】
この発明によれば、アイコンの変更の後、所定時間経過後に、初期状態に戻すことができる。よって、ユーザの状況に応じたアイコンを表示することができ、アイコンを変更したままとすることがなく、通信端末の操作性を向上させることができる。
【発明の効果】
【００１９】
本発明によれば、ユーザの状況に応じた操作を受け付けることを容易にすることができる。
【発明を実施するための最良の形態】
【００２０】
以下、本発明による通信端末のメニューアイコンの自動配置方法に関する好適な実施形態について、図面を参照して詳細に説明する。なお、図面の説明においては同一要素には同一符号を付し、重複する説明を省略する。
【００２１】
図１は、本発明の好適な一実施形態であるシステムの一形態の概略構成を示す図である。同図に示す通信システム１は、携帯電話機、ＰＤＡ（Personal Digital Assistants）、ＰＨＳ（Personal Handyphone System）等の通信端末１０と、通信端末１０に内蔵される非接触ＩＣ（IC Card）部２０と、非接触ＩＣ用ＲＷ３０から構成されるシステムである。非接触ＩＣ部２０と非接触ＩＣ用ＲＷ３０とは互いに近接させることにより通信を行う。この非接触ＩＣ部２０は、非接触ＩＣ用ＲＷ３０から、通信端末１０がどのエリアに入場または退場したか、あるいは商品購入を行ったかを示すゲート情報または購入情報を受信する。非接触ＩＣ部２０は非接触ＩＣ用ＲＷ３０からゲート情報または購入情報を受信すると、当該ゲート情報または購入情報を通信端末１０に送信する。
【００２２】
まず、本実施形態にかかる通信端末１０の構成について説明する。図１に示すように、通信端末１０は、機能的には無線部１１、処理部１２（変更手段）、記憶部１３、表示部１４（表示手段）、操作部１５、外部ＩＦ部１６、および非接触ＩＣ部２０（処理信号受信手段、退場信号受信手段）を含んで構成されている。さらに通信端末１０に内蔵される非接触ＩＣ部２０は記憶部２１、処理部２２、および無線部２３を含んで構成されている。この通信端末１０は、図２に示されるハードウェアにより構成されている。図２は、通信端末１０のハードウェア構成図である。通信端末１０は、物理的にはＣＰＵ１０２、主記憶装置であるＲＡＭ１０７及びＲＯＭ１０８、ハードディスク等の補助記憶装置である情報格納部１０３、入力デバイスであるボタン、カメラ、マイク等の入力装置１０５、ディスプレイ等の出力装置１０４、他の通信端末と通信するための無線部１０１、非接触ＩＣを格納した非接触ＩＣ部２０などを含む通信端末として構成されている。
【００２３】
図１において説明した通信端末１０の各機能は、図２に示すＣＰＵ１０２、ＲＡＭ１０７等のハードウェア上に所定のコンピュータソフトウェアを読み込ませることにより、ＣＰＵ１０２の制御のもとで無線部１０１、入力装置１０５、出力装置１０４、非接触ＩＣ部２０、外部ＩＦ部１０６を動作させると共に、ＲＡＭ１０７、ＲＯＭ１０８，及び情報格納部１０３におけるデータの読み出し及び書き込みを行うことで実現される。
【００２４】
以下、通信端末１０の構成について、図１に示される機能ブロック図に基づいて説明する。無線部１１は、通信端末１０が基地局および通信ネットワークを通して他の通信端末と通信を行う他、インターネットの閲覧のための通信を行う部分である。
【００２５】
処理部（演算部を含む）１２は、外部装置である非接触ＩＣ用ＲＷ３０から通信端末１０に送信される情報に対する処理を行う部分である。具体的には、通信端末１０の処理部１２によって、ユーザの行動がどのエリアに入場したか、または退場したかを示すゲート情報、またはどの商品を購入したかを示す購入情報を非接触ＩＣ部２０から受信し、受信されたゲート情報または購入情報に基づいて判断処理が行われる。
【００２６】
この判断処理の結果に基づいて、記憶部１３に格納されているアイコン自体またはその表示順を記憶した情報に基づいて、判断処理の結果に応じた適切なアイコンが読み出され、当該アイコンが表示部１４へ表示されることになる。なお、アイコン自体を入れ替えることで変更することのみならず、その表示順を変更するようにしてもよい。アイコン表示のため記憶部１３に格納されている情報は、適切なアイコンが状況に応じて選択されるように、複数の情報が用意されている。その詳細については後述する。
【００２７】
また、表示されるアイコンにはユーザの行動変化によっては操作禁止であることを知らせるものも含まれる。例えば、ユーザ行動の変化、すなわちユーザの特定行為が会社のセキュリティーゲート通過である場合には、業務に必要なアイコンのみが選択され表示され、その他の部分であるアイコンが表示されていない部分には「業務中は個人的利用禁止です。」と表示されることになる。同様にユーザの特定行為が高速道路のゲート通過であるの場合には、アイコンは選択されることなく、アイコンが表示されていない部分に「運転中の携帯電話利用は禁止されています。」と表示されることになる。
【００２８】
記憶部１３は、通信端末の情報記憶部であり、例えば図３に記載されている情報を記憶している。ここで、図３は、特定行為に対応付けて選択されるアイコンを示す説明図である。図３に示すように、記憶部１３には、ユーザの特定行為に対応付けて、その行為に対応する操作を示すアイコンおよびその画面位置を記憶している。例えば、図３では、ユーザの特定行為が駅改札通過である場合には、処理部１２は画面位置をＡ、対応するボタンは１、操作内容はゲームなどと規定し、その位置にアイコンを表示するよう動作することができる。なお、必要に応じてボタン番号と並替前のメニューボタンの旧位置を示す情報を記憶してもよい。また、空白と示されている項目は、表示部１４には表示されないことを示すものであり、ユーザの位置するエリアに応じたメッセージ情報、例えば、「業務中は個人的利用禁止です。」を表示するようにしてもよい。
【００２９】
表示部１４は、画像等を含む様々な情報を表示するＬＣＤ等により構成される画面であり、ユーザからの操作を受け付けるためのアイコンを表示する部分である。
【００３０】
操作部１５は、ボタン等であって、ユーザは操作部１５を操作することにより表示部１４に表示される選択用カーソルをアイコン単位に移動させ、またアイコンを選択することができる。
【００３１】
外部ＩＦ部１６は、メモリカード等とのデータの送受信を行う部分である。
【００３２】
非接触ＩＣ部２０は、非接触型ＩＣカードであって、非接触ＩＣ用ＲＷ３０から微弱な電波を受信することにより電力を得ることができ、その電力によって所定の処理を行うものである。さらに具体的には、非接触ＩＣ部２０における無線部２３は、非接触ＩＣ用ＲＷ３０との無線通信を行い、非接触ＩＣ用ＲＷ３０から微弱な電波を受信することにより電力を得ることができ、処理部２２はその電力によって所定の処理を行う。また、非接触ＩＣ部２０における処理部２２は、非接触ＩＣ用ＲＷ３０から認証処理の要求を受け、認証処理が成功した旨を受信すると、通信端末１０に対してユーザが入場または退場したことを示すゲート情報、またはユーザが非接触ＩＣ部２０を用いて商品を購入したことを示す購入情報を受信し、その旨を通信端末１０の処理部１２に出力する。また、非接触ＩＣ部２０における記憶部２１は、電子バリュー、認証処理のための演算情報などを記憶し、処理部２２はこれら情報を用いた処理を行うことができる。
【００３３】
つぎに、本実施形態に係る非接触ＩＣ用ＲＷ３０について説明する。通信端末１０に内蔵される非接触ＩＣ部２０と接近した際に非接触で通信を行う非接触ＩＣ用ＲＷ３０は、記憶部３１、処理部３２、無線部３３、および通信部３４を含んで構成されている。
【００３４】
記憶部３１は、非接触ＩＣ部２０からの応答信号に基づいた認証処理を行うための情報を記憶する部分である。
【００３５】
処理部３２は、非接触ＩＣ部２０からの応答信号に基づいた認証処理を行う部分である。
【００３６】
無線部３３は、非接触ＩＣ部２０に対して電波を発信し、非接触ＩＣ部２０において電力を発生させるとともに、非接触ＩＣ部２０において処理された情報を受信する部分である。
【００３７】
このような非接触ＩＣ用ＲＷ３０は、周知なリーダライタ部であって、非接触ＩＣ部２０と通信することにより、例えば駅改札のゲート、会社のセキュリティゲート、ＥＴＣにおけるゲートを開閉し、また非接触ＩＣ２０に記憶されている電子バリューに対する課金処理を行うことができる。また、この非接触ＩＣ用ＲＷ３０は、通信端末１０と認証処理を行う際に、ユーザはどのエリアに入ろうとしているのかまたは出ようとしているのかを示すゲート情報またはどのような商品を購入しようとしたのかを示す購入情報を出力することができる。通信端末１０はそのゲート情報または購入情報に基づいて表示部１４にてアイコン表示を行うことができる。
【００３８】
つぎに、図４〜図６を参照して、本実施形態における通信端末１０において表示するアイコンを変更するときの動作について説明する。
【００３９】
まず、ユーザが駅改札を通過するなどエリアに対応したメニューアイコンの変更処理について説明する。図４は、通信端末１０において、ユーザのエリアに対応したアイコンの変更処理を示すシーケンス図である。
【００４０】
通信端末１０の処理部２２において認証要求が、非接触ＩＣ用ＲＷ３０から無線部２３を介して受信され、処理部２２において記憶部２１に記憶されている認証情報に対する演算情報読み出し処理が行われる。（ステップＳ２０１、Ｓ２０２）。非接触ＩＣ部２０の処理部２２において、演算情報に基づいた演算処理が行われ（ステップＳ２０３）、非接触ＩＣ部２０の処理部２２から非接触ＩＣ用ＲＷ３０に対して認証応答が送信される（ステップＳ２０４）。
【００４１】
非接触ＩＣ用ＲＷ３０において非接触ＩＣ認証が行われ（ステップＳ２０５）、認証が成功すると、非接触ＩＣ部２０から認証成功の応答信号が処理部２２に受信される（Ｓ２０６）。なお、この応答信号の中に、どのエリアに入場しようとしたのかまたは退場しようとしたのかを示すゲート情報を含ませておくことを想定しているが、これに限らず、何らかの手段によりゲート情報を非接触用ＲＷから非接触ＩＣ部２０に送信するようにしてもよい。
【００４２】
そして、処理部２２において、認証応答および認証成功の一連の処理に基づいて、非接触ＩＣ用ＲＷ３０と非接触ＩＣ部２０との間で、どのような処理が実行されたかが判断される。本実施形態では、駅改札を通過したか、会社のセキュリティゲートを通過したか、ＥＴＣ（Electric Toll Collection）のゲートを通過したのかが判断され、さらにそのゲートにおいて入場したのか、退場したのかが、非接触ＩＣ用ＲＷ３０からのゲート情報に基づいて判断され（Ｓ２０７）、そのゲート情報が処理部１２に出力される（Ｓ２０８）。
【００４３】
処理部１２において、入力されたゲート情報に基づいて入場／退場判断処理が行われ、ユーザがどの種類のゲートを通過したのか、それは入場したのか退場したのかが判断される（Ｓ２０９）。この判断処理が行われると、通信端末１０の表示部１４へ変更要求（ステップＳ２１０）が送られ、通信端末１０が存在しているエリアに対応したアイコンの表示変更が行われる（ステップＳ２１１）。例えば、駅改札に入場したと判断された場合には、駅構内で使用される可能性の高い操作内容を示すアイコンを表示するように、アイコンの変更処理がなされる。また、通信端末１０がゲートから退場したエリアに存在している場合は、アイコンの変更処理によりデフォルトのアイコン表示に戻されることとなる。
【００４４】
アイコンが変更されると、通信端末１０の処理部へ応答が送られ、処理が終了する（ステップＳ２１２）。このことにより、ユーザは、変更したメニューを使うことができる。なお、アイコン表示が変更されている状態において、ユーザがクリアボタンやオフフックボタン等を押下することで、アイコン配置をデフォルトの状態に戻すようにしてもよい。このことにより、各処理時のアイコン配置となっている場合において、ユーザの意思でデフォルトのアイコン配置に戻すことができるようになる。
【００４５】
以上の処理の具体例について説明する。ユーザが駅の外から改札を通過して入場すると、エリア情報として駅に入場したことが処理部１２において判断され、そのエリアに対応したアイコンが読み出され、初期状態のアイコン表示から、駅に入場したときに適応したアイコンが表示されることになる。すなわち、初期状態のアイコン表示は乗車駅改札通過前及び下車駅改札機通過後において表示され、変更されたアイコンは、乗車駅改札機通過後から下車駅改札機通過前において表示されることになる。
【００４６】
また、ユーザが会社などのセキュリティゲートを通過して入場すると、エリア情報としてゲートを通過して入場したことが処理部１２において判断され、そのエリアに対応したアイコンが読み出され、初期状態のアイコン表示から会社で使用する可能性の高いアイコンに変更されることになる。初期状態のアイコン表示はセキュリティゲート入館通過前及びセキュリティゲート退館通過後において表示され、変更されたアイコンは、セキュリティゲート入館通過後からセキュリティゲート退館通過前において表示されることになる。
【００４７】
また、ユーザが自動車等に乗車して高速道路のＥＴＣのゲートを通過して入場すると、エリア情報として高速道路のゲートを通過して入場したことが処理部１２において判断され、そのエリアで使用される可能性の高いアイコンが読み出され、初期状態のアイコン表示から高速道路走行中に使用される可能性の高いアイコンに変更されることになる。初期状態のアイコン表示は高速道路のゲート入口通過前及び高速道路のゲート出口通過後において表示され、変更されたアイコンは、高速道路のゲート入口通過後から高速道路のゲート出口通過前において表示されることになる。なお、高速道路などで運転中においては携帯電話の使用は禁止されていることから、本実施形態では、アイコンの表示は行われないことを好適の例としている。
【００４８】
つぎに、ユーザが非接触ＩＣ部２０に記憶されている電子バリューを用いて商品を購入したときのアイコンの変更処理について説明する。図５は、購入情報に基づいて通信端末１０のアイコンの表示を変更するときの処理を示すシーケンス図である。
【００４９】
図５におけるＳ５０１〜Ｓ５０７においては、非接触ＩＣ用ＲＷ３０が店舗に設置されている電子バリュー読み取り機であり、非接触ＩＣ用ＲＷ３０から非接触ＩＣ部２０に対して課金処理を行う場合の、認証処理（Ｓ５０３）およびその購入（課金）処理（Ｓ５０７）が行われる。その具体的な処理は、Ｓ２０１〜Ｓ２０６と同じであるが、Ｓ２０６においては、ゲート情報にかえて購入情報が認証成功の応答信号に含まれている点が相違する。
【００５０】
購入処理が行われると、その情報が通信端末１０の処理部１２へ情報伝達され（ステップＳ５０８）、処理部１２において購入判断処理が行われる（ステップＳ５０９）。当該処理が行われると、通信端末１０の表示部１４へ変更要求（ステップＳ５１０）が送られ、購入処理に応じたアイコン表示の変更が行われる（ステップＳ５１１）。アイコンが変更されると、通信端末１０の処理部１２へ応答が送信される（ステップＳ５１２）。そして、処理部１２はアイコンの表示変更後に所定時間が経過したかどうかタイマー処理を行い、所定時間未経過ならアイコンを変更したままにする（Ｓ５１３）。処理部１２は所定時間経過後に再度メニューアイコン表示順の変更要求を行い（Ｓ５１４）、アイコンを初期状態に戻し（Ｓ５１５）、通信端末本体へアイコンを元に戻したことを応答して（Ｓ５１６）処理を終了する。なお、アイコン表示が変更されている状態において、ユーザがクリアボタンやオフフックボタン等を押下することで、アイコン配置をデフォルトの状態に戻すようにしてもよい。このことにより、各処理時のアイコン配置となっている場合において、ユーザの意思でデフォルトのアイコン配置に戻すことができるようになる。
【００５１】
以上の通りの処理により、購入処理が行われた後、商品購入に関連するアイコンが表示され、所定時間が経過するまでは変更されたアイコンが表示されたままとなる。そして、購入終了後、所定時間が経過すると、アイコンを初期状態に戻すように、通信端末本体の表示部１４のアイコン表示を再度変更することができる。
【００５２】
例えば、ユーザが非接触ＩＣ部２０を用いて商品の購入処理を行うと、購入情報として購入処理が行われたことが処理部１２において判断され、購入処理に使用される可能性の高いアイコンが読み出され、初期状態のアイコン表示から購入処理後に使用される可能性の高いアイコンに変更されることになる。初期状態のアイコン表示は購入処理読取機掲示前及び購入処理読取機掲示後５分間経過後において表示され、変更されたアイコンは、購入処理読取機掲示後から購入処理読取機掲示後５分間経過前において表示されることになる。
【００５３】
さらに図６を用いてメニュー画面が初期状態から各特定行為を行った場合のアイコンを変更した場合を詳細に説明する。
【００５４】
図６（ａ）は、初期状態、いわゆるデフォルトのアイコン表示を示す図である。この初期状態から各種ユーザの行動変化に応じて、使い勝手のよくなるようなアイコンが表示されることになる。
【００５５】
例えば、特定行為が駅改札通過の場合には、入場時には初期状態のアイコン表示から駅改札通過のアイコン表示に変更され（図６（ｂ））、退場時には駅改札通過のアイコン表示から初期状態のアイコン表示に変更されることになる。図６（ｂ）においては、駅構内で使用する可能性が高いアイコン、例えばゲーム、電子書籍などのアイコンが表示されることになる。
【００５６】
また、特定行為が会社セキュリティゲート通過の場合には、入場時には初期表示のアイコン表示から会社のセキュリティゲート通過のアイコン表示に変更され（図６（ｃ））、退場時には会社のセキュリティゲート通過のアイコン表示から初期表示のアイコン表示に変更されることになる。さらに、会社のセキュリティゲート通過のメニューアイコン表示に記載の通り、セキュリティゲート内でも特に社内においては業務に無関係なメニューの操作を不可とするために「業務中は個人的利用は禁止です。」等のメッセージ表示をすることも有効である。
【００５７】
また、特定行為が高速道路のゲート通過の場合には、入場時には初期状態のアイコン表示から高速道路のゲート通過のアイコン表示として何も表示されないように変更され（図６（ｄ））、退場時には高速道路のゲート通過のアイコン表示である何も表示されない表示から初期状態のアイコン表示に変更されることになる。さらに、高速道路のゲート通過でのアイコン表示に記載の通り、高速道路のゲート内では運転中となり、メニューの操作を不可とするために「運転中の携帯電話利用は禁止されています。」等のメッセージ表示をすることも有効である（図６（ｄ））。
【００５８】
また、特定行為が購入の場合には、購入処理読取機掲示後には初期状態のアイコン表示から購入のメニューアイコン表示に変更され（図６（ｅ））、購入処理読取機掲示後５分間経過後には購入後に使用される可能性の高いアイコン表示から初期状態のアイコン表示に変更されることになる。ここでは、購入後には残高表示を見たり、電子家計簿、購入履歴をユーザは見る可能性が高いものとしてそのようなアイコンを表示している。
【００５９】
続いて、本実施形態にかかる通信端末１０の作用効果について説明する。このような通信端末１０によれば、通信端末１０がどのエリアに存在しているかによってアイコンを適切なものに変更することができる。
【００６０】
まず、エリアに入場したユーザは、通信端末１０の非接触ＩＣ部２０を用いて特定行為を行うことで、特定のエリアに入場したこと、または特定の行動を行ったことを判別する。例えば、駅改札を通過した場合や、商品の購入処理を行った場合に、非接触ＩＣ部２０において認証成功に含まれている行動情報を無線部２３は受信し、この行動情報に基づいて予め定められた処理を行ったことを処理部１２は判断する。そして、処理部１２は、その行動に応じたアイコンを記憶部１３から読み出し、そのアイコンを表示部１４に表示させることができる。
【００６１】
これにより、ユーザがどのような行動をとったかによって、その行動に応じたアイコンを表示することができ、通信端末の操作性を向上させることができる。
【００６２】
また、無線部２３は退場信号を受信することで、処理部１２はユーザが特定のエリアから退場したことを判断し、表示部１４においてエリアに適したアイコン表示から初期状態に戻すことが可能となる。このようにアイコン表示が初期状態に戻ることで、メニュー画面が、意図せず変更されたままになることを防ぐことができる。
【００６３】
さらに、エリアごとの適切なアイコンの表示だけでなく、アイコンを非表示にすることが適切である場合にはそのような処理を行うことができる。例えば、セキュリティゲートを通過して会社内に在籍している等の場合には、業務とは関係のないアイコンを非表示にすることで、業務とは関係のない操作をできないようにすることができる。あわせて「業務中は個人的利用は禁止です。」などの表示をしてもよい。また、同様に車を運転中は通信端末の操作は禁止されているが、特に高速道路を走行中には危険が伴うため、メニュー操作ができないようにアイコンを非表示にするという効果もある。あわせて「運転中の携帯電話利用は禁止されています。」などの表示をしてもよい。
【００６４】
また、物品の購入などの際にも、即座に購入に関連したアイコンを表示することになる。通信端末１０の無線部２３は購入処理で購入信号を受信することで、特定エリアに入ったのと同様に、処理部１２は購入処理を行ったことを判断することができる。このように、購入処理が行われると関連のあるアイコンを表示すことで、購入処理と連動したメニュー操作が可能になる。例えば残高表示や電子家計簿等のメニューアイコンを利用しやすい表示順にすることで、購入処理に関連した操作を行いやすくなる。
【００６５】
また、処理部１２は、購入処理後、所定時間経過後には初期状態のアイコンに戻すことができる。このように、アイコンが一定時間後に初期状態に戻ることで、意図せずに購入処理時のアイコンが表示されたままの状態となることを防止することができる。
【図面の簡単な説明】
【００６６】
【図１】通信端末１０の機能ブロック図である。
【図２】通信端末１０のハードブロック図である。
【図３】特定行為に対応付けて選択されるアイコンを示す説明図である。
【図４】通信端末１０において、ユーザのエリアに対応したアイコンの変更処理を示すシーケンス図である。
【図５】購入情報に基づいて通信端末１０のアイコンの表示を変更するときの処理を示すシーケンス図である。
【図６】メニュー画面が初期状態から各特定行為を行った場合のアイコンを変更した場合を説明する図である。
【符号の説明】
【００６７】
１…通信システム、１０…通信端末、１１…無線部、１２…処理部、１３…記憶部、１４…表示部、１５…操作部、１６…外部ＩＦ部、２０…非接触ＩＣ部、２１…記憶部、２２…処理部、２３…無線部、３０…非接触ＩＣ用ＲＷ、３１…記憶部、３２…処理部、３３…無線部、３４…通信部。
【図１】
2008199211.tif 000003
【図２】
2008199211.tif 000004
【図３】
2008199211.tif 000005
【図４】
2008199211.tif 000006
【図５】
2008199211.tif 000007
【図６】
2008199211.tif 000008